(57)【要約】      （修正有）【課題】製造に掛かるコストを低減するとともに取り扱いが容易な操作装置を提供する。【解決手段】操作装置である楽器玩具１００は、ユーザの操作に基づいて電気信号を出力する入力受付部１１０と、入力受付部１１０からの電気信号を外部装置であるスマートフォン端末２００に出力する出力端子と、出力端子から受け付けた電気信号を変換する所定のプログラムを備えるスマートフォン端末２００から出力された変換後電気信号が入力される入力端子と、を備えるフォーンジャック部１４０と、フォーンジャック部１４０の入力端子からの変換後電気信号をユーザの五感で認識できるよう出力する五感認識出力部１５０のスピーカと、を有する。【選択図】図３
0003205112.tif 000002
【実用新案登録請求の範囲】
【請求項１】
ユーザの操作に基づいて電気信号を出力する入力受付部と、
前記入力受付部からの前記電気信号を外部装置に出力する出力端子と、前記出力端子から受け付けた前記電気信号を変換する所定のプログラムを備える前記外部装置から出力された変換後電気信号が入力される入力端子と、を備えるフォーンジャック部と、
前記入力端子からの前記変換後電気信号をユーザの五感で認識できるよう出力する五感認識出力部と、
を有することを特徴とする操作装置。
【請求項２】
前記外部装置は、４極ステレオミニジャックを備えるスマートフォン端末又はタブレット端末であり、
前記フォーンジャック部は、４極ステレオミニジャックであることを特徴とする請求項１に記載の操作装置。
【請求項３】
前記入力受付部は、ユーザが押圧操作可能に形成されるメンブレンスイッチと、前記メンブレンスイッチと接続される無安定マルチバイブレータと、前記無安定マルチバイブレータからの出力を増幅させる増幅回路と、を備えて音に関する前記電気信号を出力し、
前記所定のプログラムはエフェクト効果を付与するプログラムであり、
前記フォーンジャック部の前記入力端子から入力された前記変換後電気信号は、ボリュームツマミを介して前記五感認識出力部から出力され、
前記五感認識出力部は、スピーカを備えて前記変換後電気信号に基づいて音を出力することを特徴とする請求項１又は請求項２に記載の操作装置。
【請求項４】
前記増幅回路は、前記無安定マルチバイブレータからの出力線（１２５ａ，１２６ｂ）がベースに接続されるｎｐｎ型のトランジスタ（Ｑ２，Ｑ４）と、前記トランジスタ（Ｑ２，Ｑ４）のＯＮ・ＯＦＦに応じて畜放電される電解コンデンサ（ＣＥ１）と、を有し、前記電解コンデンサ（ＣＥ１）は、前記フォーンジャック部の前記出力端子と接続されることを特徴とする請求項３に記載の操作装置。
【請求項５】
前記増幅回路は、ベースが前記トランジスタ（Ｑ２）のコレクタと接続されるｐｎｐ型のトランジスタ（Ｑ１）を備え、当該トランジスタ（Ｑ１）は前記トランジスタ（Ｑ３）のＯＮ／ＯＦＦに合わせてＯＮ／ＯＦＦされ、前記電解コンデンサ（ＣＥ１）は当該トランジスタ（Ｑ１）がＯＮのときに畜電されることを特徴とする請求項４に記載の操作装置。
【請求項６】
前記増幅回路は、ベースが前記トランジスタ（Ｑ４）のコレクタと接続されるｎｐｎ型のトランジスタ（Ｑ３）を備え、当該トランジスタ（Ｑ３）は前記トランジスタ（Ｑ４）のＯＮ／ＯＦＦに合わせてＯＦＦ／ＯＮされ、前記電解コンデンサ（ＣＥ１）は当該トランジスタ（Ｑ３）がＯＮのときに放電されることを特徴とする請求項４に記載の操作装置。
【請求項７】
前記フォーンジャック部の前記入力端子は、ボリュームツマミを介して前記スピーカに接続される請求項３又は請求項４に記載の操作装置。
【考案の詳細な説明】
【技術分野】
【０００１】
本考案は、玩具や楽器等のユーザが操作する操作装置に関する。
【背景技術】
【０００２】
従来から、音声対話や装置の操作等に基づいて携帯用端末等と通信を行う操作装置が開示されている。例えば、特許文献１に開示される音声対話装置は、ユーザによって入力される音声を受信する音声入力部と、音声入力部で入力された音声を携帯用端末に伝送して携帯用端末から伝送される音声を受信する有無線通信部と、有無線通信部から音声を受信して出力する音声出力部と、を有する音声対話装置が開示されている。
【０００３】
また、特許文献２には、折り畳み自在に形成されて鍵盤に対応する信号を生成して無線通信機器により送信する電子鍵盤楽器と、この電子鍵盤楽器からの信号を受信して音として出力するスマートフォン等を備える電子鍵盤楽器システムが開示されている。
【先行技術文献】
【特許文献】
【０００４】
【特許文献１】特開２０１４−２０４４２９号公報
【特許文献２】特開２０１５−４９５０５号公報
【考案の概要】
【考案が解決しようとする課題】
【０００５】
特許文献１では、音声対話装置と携帯端末の通信は、両装置に備わる有無線通信部で行われる。この場合、音声対話装置の有無線通信部により音声入力部から入力された音声はコーデックを用いて圧縮して伝送され、携帯用端末の有無線通信部から伝送される音声は音声対話装置の有無線通信部によりデコーディングされる。従って、操作装置である音声対話装置の構成は複雑化し、製造に掛かるコストも高くなる。音声対話装置に入力された音声を圧縮せずに携帯情報端末に伝送して処理することもできるが、この場合は、音声対話装置と携帯用端末との通信を高速に処理する必要があるため、両者の有無線通信部の構成が大規模なものとなる。
【０００６】
一方、特許文献２に開示される電子鍵盤楽器システムにおいては、電子鍵盤楽器とスマートフォン等とを無線通信させるので、無線通信を行う装置を特に電子鍵盤楽器に搭載する必要があり、製造に掛かるコストが高くなる。さらに、ペアリング等の作業が必要となり、スマートフォン等の扱いに不慣れなユーザにとっては作業が煩雑となる。
【０００７】
本考案の目的は、製造に掛かるコストを低減するとともに取り扱いが容易な操作装置を提供する。
【課題を解決するための手段】
【０００８】
本考案に係る操作装置は、ユーザの操作に基づいて電気信号を出力する入力受付部と、前記入力受付部からの前記電気信号を外部装置に出力する出力端子と、前記出力端子から受け付けた前記電気信号を変換する所定のプログラムを備える前記外部装置から出力された変換後電気信号が入力される入力端子と、を備えるフォーンジャック部と、前記入力端子からの前記変換後電気信号をユーザの五感で認識できるよう出力する五感認識出力部と、を有する。
【考案の効果】
【０００９】
本考案によれば、製造に掛かるコストを低減するとともに取り扱いが容易な操作装置を提供することができる。
【図面の簡単な説明】
【００１０】
【図１】本考案の実施形態に係る楽器玩具を示す斜視図ある。
【図２】本考案の実施形態に係る楽器玩具の背面パネルを示す図である。
【図３】本考案の実施形態に係る楽器玩具の構成と、当該楽器玩具と接続する携帯情報端末の構成を示すブロック図である。
【図４】本考案の実施形態に係る楽器玩具の電気回路図である。
【図５】本考案の実施形態に係る抵抗及び電解コンデンサの電圧波形を示す図である。
【考案を実施するための形態】
【００１１】
次に、本考案の実施形態を図に基づいて説明する。図１は本考案の一例としての実施形態に係る操作装置である楽器玩具１００の外観を示す斜視図である。楽器玩具１００は、全体が音符を模した形状とされる。楽器玩具１００を操作することにより、楽器玩具１００単体でも音を出力することができるが、楽器玩具１００は、外部装置であるスマートフォン端末２００と４極ステレオミニプラグコード２１０で接続することにより、エフェクト効果を付与した音を出力することができる。なお、ここでいうエフェクト効果には、シンセサイズ（音の合成）も含まれる。
【００１２】
楽器玩具１００は、略球形状の本体部１０が設けられている。本体部１０には、おたまじゃくしを模した顔１１が形成されている。顔１１は、全体がシリコン材料により形成されており、目１２が印刷されて、スリット状に切り込まれる口１３が形成されている。口１３は、顔１１の両頬に相当する位置に突起状の支持部１４が形成されている。支持部１４を、例えば手の中指と親指で押すと、口１３を開くことができる。そして、本体部１０の内部にはスピーカ１５が内蔵されており、ユーザは、演奏中に口１３を開いたり閉じたりすることにより、同じ高さの音でも音のこもり方を変化させて演奏することができる。
【００１３】
本体部１０の後部には、上方に向けて略円柱状の棒状操作部２０が立設する。棒状操作部２０の前面には、タッチ部２１が設けられている。棒状操作部２０の上端には、音符を模した先端装飾部３０が形成されている。
【００１４】
タッチ部２１は、メンブレンスイッチにより形成されている。そして、ユーザは、タッチ部２１を指でタッチして押圧すると、押圧した位置に応じた音階の音をスピーカ１５から出力させることができる。そして、押圧する位置を上から下に変更することにより音階を上げることができる。
【００１５】
図２に示すように、本体部１０の背面には、パネル４０が設けられている。パネル４０の中央には、ボリュームツマミ４１が配置されている。ボリュームツマミ４１は、電源スイッチを兼ね備えており、反時計回りに回すことで楽器玩具１００の電源を切ることができる。ボリュームツマミ４１の上方には、電源が入っている場合に光るＬＥＤからなる電源ランプ４６が設けられている。ボリュームツマミ４１の下方には、音階切替スイッチ４２が設けられている。楽器玩具１００は、音階を三段階に設定することができる。音階切替スイッチ４２の左側には、電源ジャック４３が設けられている。なお、パネル４０の下方には電池蓋３２が設けられており、本体部１０に乾電池を収納することができる。従って、楽器玩具１００の電源は、電源ジャック４３に図示しないＡＣアダプタを接続して電源とすることもできるし、本体部１０に収納した乾電池を電源とすることもできる。
【００１６】
パネル４０の音階切替スイッチ４２の右側には、ステレオミニジャック４４が設けられている。ステレオミニジャック４４を介して図示しないアンプや外部スピーカ、ヘッドホン等と楽器玩具１００を接続することにより、スピーカ１５以外の機器に音を出力させることができる。そして、ステレオミニジャック４４の上方には、４極ステレオミニジャック４５が設けられている。この４極ステレオミニジャック４５を介して、前述の通り、楽器玩具１００と外部装置であるスマートフォン端末２００を接続することができる。
【００１７】
次に、図３に基づいて、楽器玩具１００とスマートフォン端末２００の制御ブロックの構成を説明する。楽器玩具１００は、入力受付部１１０と、発振回路１２０と、増幅回路１２５と、音階設定回路１３０と、フォーンジャック部１４０と、アンプ回路１４５と、五感認識出力部１５０と、を備える。
【００１８】
入力受付部１１０は、前述のメンブレンスイッチからなるタッチ部２１を備える。入力受付部１１０は、ユーザがタッチ部２１を操作、すなわち、指でタッチ部２１をタッチして押圧した位置に応じて電気信号を出力する。一方、発振回路１２０は、無安定マルチバイブレータとされる電気回路を備える。そして、発振回路１２０は、入力受付部１１０の押圧した位置に応じた時定数を有する音に関する電気信号を発生させる。音階設定回路１３０は、前述の音階切替スイッチ４２を備える。音階設定回路１３０は、発振回路１２０に対して音階切替スイッチ４２で設定された音階に応じた音に関する電気信号を出力させる。また、増幅回路１２５は、発振回路１２０から出力された電気信号を増幅する。
【００１９】
フォーンジャック部１４０は、発振回路１２０及び増幅回路１２５を介して出力された入力受付部１１０からの電気信号を出力する出力端子と、スマートフォン端末２００から出力された電気信号が入力される入力端子と、を備える４極ステレオミニジャック４５を備える電気回路部である。
【００２０】
前述の通り、楽器玩具１００は、スマートフォン端末２００と４極ステレオミニプラグコード２１０により接続される。ここで、スマートフォン端末２００には、予め所定のプログラムがインストールされている。この所定のプログラムは、フォーンジャック部１４０の出力端子から受け付けた音に関する電気信号を変換するものである。例えば、ピアノ調の音色にしたり、エコー効果を付与したり、伴奏音を合成したりする等、エフェクト効果を付与するプログラムとすることができる。そして、スマートフォン端末２００の所定のプログラムにより変換された変換後電気信号は、フォーンジャック部１４０の入力端子を介して楽器玩具１００に入力される。
【００２１】
フォーンジャック部１４０の入力端子から入力された変換後電気信号は、アンプ回路１４５で調整された後、ユーザの五感で認識できるよう出力する五感認識出力部１５０のスピーカ１５により変換された音として出力される。
【００２２】
このようにして、楽器玩具１００とスマートフォン端末２００は、簡便な１本の４極ステレオミニプラグコード２１０で接続することができる。そして、スマートフォン端末２００に、例えばエフェクト効果を付与するプログラムをインストールしておけば、楽器玩具１００のみで出力される音色と異なる音色を出力して楽しむことができる。そして、エフェクト効果を付与する処理等の高度な処理はスマートフォン端末２００を利用するので、楽器玩具１００には高機能なＩＣ等の電子回路が不要となる。従って、楽器玩具１００の製造に掛かるコストを低減することができる。
【００２３】
次に、楽器玩具１００のさらに具体的な電気回路を図４に基づいて説明する。楽器玩具１００の電気回路において、符号１６０は電源を示し、符号１６５はレギュレータを示す。電源１６０の電圧は、レギュレータ１６５により整圧される。
【００２４】
発振回路１２０を示す破線内には、接点１２１が形成される。発振回路１２０及び音階設定回路１３０は、接点１２１を介して、入力受付部１１０のタッチ部２１と電気的に接続される。タッチ部２１は、タッチして押圧した位置に応じて変化する可変抵抗として機能する。タッチ部２１は、接点１２１とレギュレータ１６５の間に直列に接続されるため、接点１２１に入力させる電流をタッチして押圧した位置に応じて可変させる。発振回路１２０は、２個のトランジスタＱ５，Ｑ６と、トランジスタＱ５のベースに接続されるコンデンサＣ８と、コンデンサＣ８と音階設定回路１３０との間に並列に設けられるコンデンサＣ３，Ｃ５と、トランジスタＱ６のベースに接続されるコンデンサＣ９と、コンデンサＣ９と音階設定回路１３０との間に並列に設けられるコンデンサＣ４，Ｃ６と、トランジスタＱ５のコレクタに接続された抵抗Ｒ３と、トランジスタＱ６のコレクタに接続される抵抗Ｒ１と、一端をトランジスタＱ５のベースとコンデンサＣ８間に接続して他端が電源線１６１と接続される抵抗Ｒ２と、を備える。なお、一端がトランジスタＱ６のコレクタと接続される抵抗Ｒ１の他端側は、電源線１６１と接続される。また、一端がトランジスタＱ５のコレクタと接続される抵抗Ｒ３の他端側は、電源線１６１と接続される。
【００２５】
音階設定回路１３０は、トランジスタＱ５のベース側とトランジスタＱ６のコレクタ側との間の容量、及び、トランジスタＱ６のベース側とトランジスタＱ５のコレクタ側との間の容量を可変させる機能を有する。具体的に、音階設定回路１３０は、コンデンサＣ８に対して、コンデンサＣ３及びコンデンサＣ５の一方又は両方を、並列に接続又は切断させる。同様に、音階設定回路１３０は、コンデンサＣ９に対して、コンデンサＣ４及びコンデンサＣ６の一方又は両方を、並列に接続又は切断させる。
【００２６】
増幅回路１２５は、４つのトランジスタＱ１〜Ｑ４を備える。トランジスタＱ１はｐｎｐ型トランジスタであり、トランジスタＱ２〜Ｑ４はｎｐｎ型トランジスタである。トランジスタＱ２のベースには、接続線１２６ａが接続される。接続線１２２と接続線１２６ａは、抵抗Ｒ６を介して接続される。トランジスタＱ４のベースには、発振回路１２０からの出力線１２６ｂが接続される。接続線１２２と出力線１２６ｂは抵抗Ｒ１１を介して接続される。電源線１６１から抵抗Ｒ４を介して延びる増幅回路１２５の接続線１２６ｃは、トランジスタＱ４のエミッタと接続されるとともにトランジスタＱ３のベースと抵抗Ｒ１０を介して接続される。トランジスタＱ１のエミッタは、電源線１６１と接続され、ベースは接続線１２６ｄにより抵抗Ｒ５を介してトランジスタＱ２のコレクタと接続される。一方、トランジスタＱ１のコレクタは、接続線１２６ｅによりトランジスタＱ３のコレクタと接続される。なお、トランジスタＱ２〜Ｑ６のエミッタは、グランド線１６２と接続される。
【００２７】
増幅回路１２５の接続線１２６ｅから延びる出力線１２７は、電解コンデンサＣＥ１の正極側と接続される。電解コンデンサＣＥ１の増幅回路１２５側の出力線１２７は、電解コンデンサＣＥ２の正極側と接続される。電解コンデンサＣＥ２の負極側はグランド線１６２に接続される。そして、出力線１２７は、電解コンデンサＣＥ１及び抵抗Ｒ８を介してフォーンジャック部１４０と接続されている。抵抗Ｒ８とフォーンジャック部１４０間には、他端をアースされる抵抗Ｒ７が接続されている。
【００２８】
出力線１２７は、フォーンジャック部１４０の４極ステレオミニジャック４５における出力端子１４１と接続される。フォーンジャック部１４０の４極ステレオミニジャック４５は、２箇所の入力端子１４２，１４３を備え、差し込まれる４極ステレオミニプラグの規格（例えば、ＯＭＴＰやＣＴＩＡ）に対応して、何れか一方が使用される。フォーンジャック部１４０からの出力線１４６は、ボリュームツマミ４１及びアンプ回路１４５を介してスピーカ１５及びステレオミニジャック４４と接続される。
【００２９】
楽器玩具１００は、タッチ部２１のメンブレンスイッチをタッチして押圧した位置に応じて入力される電流をトリガーとして、発振回路１２０に発信した電気信号を発生させる。そして、発振回路１２０は、トランジスタＱ５，Ｑ６及びコンデンサＣ８，Ｃ９、抵抗Ｒ１〜Ｒ３の回路定数により定まる時定数で出力線１２６ｂへの出力電圧を振動的にし、音に関する電気信号を出力する。発振回路１２０から出力された音に関する電気信号は、増幅回路１２５で増幅されて、フォーンジャック部１４０の出力端子１４１を介してスマートフォン端末２００に出力される。
【００３０】
例えば、発振回路１２０のトランジスタＱ５がＯＮでトランジスタＱ６がＯＦＦの状態（以下、状態１という。）では、抵抗Ｒ３のグランド線１６２側の電位は略０Ｖとなる。従って、出力線１２６ｂの電位も略０Ｖとなり、増幅回路１２５のトランジスタＱ４はＯＦＦとなる。同様に、接続線１２６ａの電位も略０Ｖとなるため、増幅回路１２５のトランジスタＱ１，Ｑ２もＯＦＦとなる。一方、増幅回路１２５のトランジスタＱ４がＯＦＦであることにより抵抗Ｒ４，Ｒ１０が接続される接続線１２６ｃ上の電位はプラス（＋）となり、トランジスタＱ３がＯＮされる。すると、電解コンデンサＣＥ１，ＣＥ２が放電される。従って、電解コンデンサＣＥ１の電圧Ｖ１は低下し、抵抗Ｒ７の増幅回路１２５側の電圧はマイナス（−）となり、抵抗Ｒ７の電圧Ｖ２は状態１の間０Ｖへ向かって上昇する。
【００３１】
発振回路１２０のトランジスタＱ５がＯＦＦでトランジスタＱ６がＯＮの状態（以下、状態２という。）では、増幅回路１２５のトランジスタＱ４がＯＮされる。すると、増幅回路１２５の抵抗Ｒ４のグランド線１６２側が略０Ｖとなるので、トランジスタＱ３はＯＦＦされる。一方、状態２では、トランジスタＱ２がＯＮされるので、抵抗Ｒ５に電流が流れ、トランジスタＱ１がＯＮされる。従って、トランジスタＱ１のエミッタ側からコレクタ側に電流が流れるので、電解コンデンサＣＥ１，ＣＥ２が蓄電される。このとき、電解コンデンサＣＥ１の電圧Ｖ１は上昇し、抵抗Ｒ７の電圧はプラス（＋）側に反転した後、状態２の間０Ｖへ向かって下降する。
【００３２】
このようにして、発振回路１２０の作用により状態１、状態２を繰り返すことで、電解コンデンサＣＥ４の電圧Ｖ１と、抵抗Ｒ７の電圧Ｖ２は、図５に示すように、一方の電圧が上昇するとき他方の電圧が下降する。そして、抵抗Ｒ７の電圧Ｖ２の値は、正負を交互に繰り返す。電圧Ｖ２の変化は、フォーンジャック部１４０の出力端子１４１を介して、音に関する電気信号としてスマートフォン端末２００に出力される。ここで、状態１と状態２の期間が発振回路１２０から出力される発振周期、すなわち音の周期となる。なお、図５では、状態１と状態２の時間を均等に示しているが、本実施形態の楽器玩具１００は、タッチ部２１をタッチして押圧した位置に応じて状態２の期間を変化させ、発振周期の全体長さを伸縮させることができる。このように、発振回路１２０からの出力を増幅する増幅回路１２５は、比較的簡易な構成とすることができる。
【００３３】
フォーンジャック部１４０の出力端子１４１から出力された音に関する電気信号は、スマートフォン端末２００のプログラムで任意のエフェクト効果が付与される。任意のエフェクト効果が付与された変換後電気信号は、スマートフォン端末２００からフォーンジャック部１４０の入力端子１４２又は入力端子１４３に入力される。入力された変換後電気信号は、出力線１４６からボリュームツマミ４１及びアンプ回路１４５を介してスピーカ１５から発音される。ここで、ボリュームツマミ４１により、アンプ回路１４５には任意の電圧に分圧された変換後電気信号が入力され、スピーカ１５から発音される音の音量が調整される。
【００３４】
以上、本考案の実施形態の一例を示したが、本考案は上記の実施形態によって限定されることはなく、種々の変更を加えて実施することができる。例えば、本実施形態においては操作装置として楽器玩具１００としたが、これに限られず、形象玩具や知育玩具、カラオケ玩具、ゲーム玩具等の玩具や、タイマー・目覚まし時計等の生活用品や、鍵盤やギター、パーカッション等の楽器とすることができる。
【００３５】
また、本考案が適用される操作装置の種類に従って、入力受付部１１０を種々の形態とすることができる。例えば、形象玩具の場合には、入力受付部１１０は、ユーザの音声を集音するマイクや、操作装置の一部を動かしたことを検知するセンサ、ボタンスイッチ、タッチパネル等とすることができる。楽器の場合には、楽器音を集音するマイクや、各鍵盤に対応する抵抗等を備えるスイッチ回路、打楽器の場合には振動検知センサ等とすることができる。そして、発振回路１２０は、操作装置の形態に合わせて、種々変更することができる。さらに、操作装置の種類に従って、五感認識出力部は、五感認識出力部１５０に換えて、光を発するＬＥＤとしたり、液晶表示パネルとしたり、振動を発する部材とすることができる。
【００３６】
また、楽器玩具１００のフォーンジャック部１４０は、スマートフォン端末２００等に一般的に接続可能な４極ステレオミニジャック４５としたが、これに限られず、入力端子と出力端子を併せ持つジャックであればよい。また、外部装置としてスマートフォン端末２００の他、タブレット端末やパーソナルコンピュータ等も使用することができる。すなわち、入力された電気信号に変化を加えて、又は他の形式の電気信号に変換して出力するコンピュータのプログラムがインストール可能であればよい。ただし、本実施形態に示すスマートフォン端末２００は、近年普及率が高まっており、最も簡便な外部装置の一つであり好適である。なお、本考案に係る操作装置と外部装置との接続は、１本のケーブルで簡易に接続することが好ましいが、この他の形態としては、ケーブルの途中やケーブルと外部装置との接続を無線通信で行うこともできる。
【符号の説明】
【００３７】
１０      本体部                              １１      顔
１２      目                                  １３      口
１４      支持部                              １５      スピーカ
２０      棒状操作部                          ２１      タッチ部
３０      先端装飾部                          ３２      電池蓋
４０      パネル                              ４１      ボリュームツマミ
４２      音階切替スイッチ                    ４３      電源ジャック
４４      ステレオミニジャック                ４５      ４極ステレオミニジャック
４６      電源ランプ                          １００    楽器玩具
１１０    入力受付部                          １２０    発振回路
１２１    接点                                １２２    接続線
１２５    増幅回路                            １２６ａ  接続線
１２６ｂ  出力線                              １２６ｃ  接続線
１２６ｄ  接続線                              １２６ｅ  接続線
１２７    出力線                              １３０    音階設定回路
１４０    フォーンジャック部                  １４１    出力端子
１４２    入力端子                            １４３    入力端子
１４５    アンプ回路                          １４６    出力線
１５０    五感認識出力部                      １６０    電源
１６１    電源線                              １６２    グランド線
１６５    レギュレータ                        ２００    スマートフォン端末
２１０    ４極ステレオミニプラグコード
【図１】
0003205112.tif 000003
【図２】
0003205112.tif 000004
【図３】
0003205112.tif 000005
【図４】
0003205112.tif 000006
【図５】
0003205112.tif 000007